(57)【要約】【課題】どのような撮影条件であっても、簡単に主要被写体を適正露出で撮影することができ、また、主要被写体以外の照明効果の高いカメラ及びカメラの増灯撮影システムを提供する。【解決手段】主フラッシュライト１０，増灯フラッシュライト２０の暫定の撮影時発光量となるガイドナンバーｔｇｎ１，ｔｇｎ２を合わせて分割測光領域毎の照明予定量を演算（Ｓ２１）し、照明予定量が被写体を適正に照明するのに必要な光量となる適正値を超えるオーバー領域がある場合に（Ｓ２３：Ｙｅｓ）、ｔｇｎ１，ｔｇｎ２の内オーバー領域を照明する寄与率の高い側ほど発光予定量を多く減少させることによりオーバー領域の照明予定量が適正値になるように、本発光時の主フラッシュライト１０と増灯フラッシュライト２０のガイドナンバーｇｎ１，ｇｎ２を求める。【選択図】        図４
2004347757.tif 000002
【特許請求の範囲】
【請求項１】
被写体を照明する装置であって本発光に先立って主予備発光を行う主閃光発光装置と、前記主閃光発光装置とは別の位置から被写体を照明する装置であって本発光に先立って増灯予備発光を行う少なくとも１つの増灯閃光発光装置と、
を制御して増灯撮影可能なカメラであって、
被写界を複数の領域に分割した分割測光領域毎に測光値を出力する測光手段と、
前記主予備発光時に前記測光手段により得られた主予備測光値に基づいて前記主閃光発光装置の暫定的な発光予定量である暫定主発光予定量を演算する暫定主発光予定量演算手段と、
前記増灯予備発光時に前記測光手段により得られた増灯予備測光値に基づいて前記増灯閃光発光装置の暫定的な発光予定量である暫定増灯発光予定量を演算する暫定増灯発光予定量演算手段と、
前記暫定主発光予定量及び前記暫定増灯発光予定量を合わせて前記分割測光領域毎の照明予定量を演算し、前記照明予定量が被写体を適正に照明するのに必要な光量となる適正値を超えるオーバー領域がある場合に、前記暫定主発光予定量と前記暫定増灯発光予定量の内前記オーバー領域を照明する寄与率の高い側ほど発光予定量を多く減少させることにより前記オーバー領域の照明予定量が前記適正値になるように、前記主閃光発光装置の本発光予定量である主本発光予定量、及び、前記増灯閃光発光装置の本発光予定量である増灯本発光予定量を演算する本発光量演算手段と、
を備えるカメラ。
【請求項２】
請求項１に記載のカメラにおいて、
前記本発光量演算手段は、前記オーバー領域が複数存在する場合には、照明予定量が最も大きい領域が前記適正値となるように前記主本発光予定量及び前記増灯本発光予定量を演算すること、
を特徴とするカメラ。
【請求項３】
請求項１又は請求項２に記載のカメラにおいて、
前記本発光量演算手段は、前記オーバー領域が複数存在する場合には、前記主本発光予定量及び前記増灯本発光予定量を演算後に、その演算した前記主本発光予定量及び前記増灯本発光予定量を前記暫定主発光予定量及び暫定増灯発光予定量であるとして前記主本発光予定量及び前記増灯本発光予定量を演算する動作を前記オーバー領域がなくなるまで繰り返し行うこと、
を特徴とするカメラ。
【請求項４】
請求項１から請求項３までのいずれか１項に記載のカメラにおいて、
前記暫定主発光予定量演算手段及び／又は前記暫定増灯発光予定量演算手段は、前記主閃光発光装置及び／又は前記増灯閃光発光装置の発光能力が、それぞれ、前記暫定主発光予定量及び／又は暫定増灯発光予定量に対して不足である場合には、その不足度合いに応じて前記主予備測光値及び／又は前記増灯予備測光値を少なく見積もり、前記主閃光発光装置及び／又は前記増灯閃光発光装置の最大発光可能光量を前記暫定主発光予定量及び／又は暫定増灯発光予定量とすること、
を特徴とするカメラ。
【請求項５】
被写体を照明する装置であって本発光に先立って主予備発光を行う主閃光発光装置と、
前記主閃光発光装置とは別の位置から被写体を照明する装置であって本発光に先立って増灯予備発光を行う少なくとも１つの増灯閃光発光装置と、
被写界を複数の領域に分割した分割測光領域毎に測光値を出力する測光手段と、
前記主予備発光時に前記測光手段により得られた主予備測光値に基づいて前記主閃光発光装置の暫定的な発光予定量である暫定主発光予定量を演算する暫定主発光予定量演算手段と、
前記増灯予備発光時に前記測光手段により得られた増灯予備測光値に基づいて前記増灯閃光発光装置の暫定的な発光予定量である暫定増灯発光予定量を演算する暫定増灯発光予定量演算手段と、
前記暫定主発光予定量及び前記暫定増灯発光予定量を合わせて前記分割測光領域毎の照明予定量を演算し、前記照明予定量が被写体を適正に照明するのに必要な光量となる適正値を超えるオーバー領域がある場合に、前記暫定主発光予定量と前記暫定増灯発光予定量の内前記オーバー領域を照明する寄与率の高い側ほど発光予定量を多く減少させることにより前記オーバー領域の照明予定量が前記適正値になるように、前記主閃光発光装置の本発光予定量である主本発光予定量、及び、前記増灯閃光発光装置の本発光予定量である増灯本発光予定量を演算する本発光量演算手段と、
を備えるカメラの増灯撮影システム。
【請求項６】
請求項５に記載のカメラの増灯撮影システムにおいて、
前記本発光量演算手段は、前記オーバー領域が複数存在する場合には、照明予定量が最も大きい領域が前記適正値となるように前記主本発光予定量及び前記増灯本発光予定量を演算すること、
を特徴とするカメラの増灯撮影システム。
【請求項７】
請求項５又は請求項６に記載のカメラの増灯撮影システムにおいて、
前記本発光量演算手段は、前記オーバー領域が複数存在する場合には、前記主本発光予定量及び前記増灯本発光予定量を演算後に、その演算した前記主本発光予定量及び前記増灯本発光予定量を前記暫定主発光予定量及び暫定増灯発光予定量であるとして前記主本発光予定量及び前記増灯本発光予定量を演算する動作を前記オーバー領域がなくなるまで繰り返し行うこと、
を特徴とするカメラの増灯撮影システム。
【請求項８】
請求項５から請求項７までのいずれか１項に記載のカメラの増灯撮影システムにおいて、
前記暫定主発光予定量演算手段及び／又は前記暫定増灯発光予定量演算手段は、前記主閃光発光装置及び／又は前記増灯閃光発光装置の発光能力が、それぞれ、前記暫定主発光予定量及び／又は暫定増灯発光予定量に対して不足である場合には、その不足度合いに応じて前記主予備測光値及び／又は前記増灯予備測光値を少なく見積もり、前記主閃光発光装置及び／又は前記増灯閃光発光装置の最大発光可能光量を前記暫定主発光予定量及び／又は暫定増灯発光予定量とすること、
を特徴とするカメラの増灯撮影システム。
【発明の詳細な説明】
【０００１】
【発明の属する技術分野】
本発明は、複数の増灯閃光発光装置を用いたカメラ及びカメラの増灯撮影システムに関するものである。
【０００２】
【従来の技術】
従来から、複数のフラッシュライト等の増灯照明光を用いて撮影を行うカメラの増灯撮影が行われている。従来の増灯撮影では、主閃光発光装置と増灯閃光発光装置を発光させながら、測光素子により閃光の測光を行い、被写体を適正に照明するのに必要な光量となる適正値に達したら主閃光発光装置と増灯閃光発光装置の発光を停止することにより、適正露出で撮影できるように制御を行っていた（例えば、特許文献１，２参照）。
【０００３】
【特許文献１】
特公昭５８−２１７９８号公報
【特許文献２】
特開平１１−２１２１４８号公報
【０００４】
【発明が解決しようとする課題】
しかし、従来のフラッシュライトによる増灯撮影では、主要被写体が被写界のどの位置にあっても、被写界全体を対象として調光を行うので、各フラッシュライトの最適な発光量をバランスよく決定するのは困難であった。特に、主要被写体と他の被写体との距離が離れているような状況では、適正露出が得られない場合があった。
【０００５】
本発明の課題は、どのような撮影条件であっても、簡単に主要被写体を適正露出で撮影することができ、また、主要被写体以外の照明効果の高いカメラ及びカメラの増灯撮影システムを提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、被写体を照明する装置であって本発光に先立って主予備発光を行う主閃光発光装置（１０）と、前記主閃光発光装置とは別の位置から被写体を照明する装置であって本発光に先立って増灯予備発光を行う少なくとも１つの増灯閃光発光装置（２０）と、を制御して増灯撮影可能なカメラであって、被写界を複数の領域に分割した分割測光領域毎に測光値を出力する測光手段（５）と、前記主予備発光時に前記測光手段により得られた主予備測光値に基づいて前記主閃光発光装置の暫定的な発光予定量である暫定主発光予定量を演算する暫定主発光予定量演算手段（６，Ｓ７）と、前記増灯予備発光時に前記測光手段により得られた増灯予備測光値に基づいて前記増灯閃光発光装置の暫定的な発光予定量である暫定増灯発光予定量を演算する暫定増灯発光予定量演算手段（６，Ｓ１３）と、前記暫定主発光予定量及び前記暫定増灯発光予定量を合わせて前記分割測光領域毎の照明予定量を演算し、前記照明予定量が被写体を適正に照明するのに必要な光量となる適正値を超えるオーバー領域がある場合に、前記暫定主発光予定量と前記暫定増灯発光予定量の内前記オーバー領域を照明する寄与率の高い側ほど発光予定量を多く減少させることにより前記オーバー領域の照明予定量が前記適正値になるように、前記主閃光発光装置の本発光予定量である主本発光予定量、及び、前記増灯閃光発光装置の本発光予定量である増灯本発光予定量を演算する本発光量演算手段（６，Ｓ１４）と、を備えるカメラである。
【０００７】
請求項２の発明は、請求項１に記載のカメラにおいて、前記本発光量演算手段（６，Ｓ１４）は、前記オーバー領域が複数存在する場合には、照明予定量が最も大きい領域が前記適正値となるように前記主本発光予定量及び前記増灯本発光予定量を演算すること、を特徴とするカメラである。
【０００８】
請求項３の発明は、請求項１又は請求項２に記載のカメラにおいて、前記本発光量演算手段（６，Ｓ１４）は、前記オーバー領域が複数存在する場合には、前記主本発光予定量及び前記増灯本発光予定量を演算後に、その演算した前記主本発光予定量及び前記増灯本発光予定量を前記暫定主発光予定量及び暫定増灯発光予定量であるとして（Ｓ３８）前記主本発光予定量及び前記増灯本発光予定量を演算する動作を前記オーバー領域がなくなるまで繰り返し行うこと、を特徴とするカメラである。
【０００９】
請求項４の発明は、請求項１から請求項３までのいずれか１項に記載のカメラにおいて、前記暫定主発光予定量演算手段（６，Ｓ７）及び／又は前記暫定増灯発光予定量演算手段（６，Ｓ１３）は、前記主閃光発光装置（１０）及び／又は前記増灯閃光発光装置（２０）の発光能力が、それぞれ、前記暫定主発光予定量及び／又は暫定増灯発光予定量に対して不足である場合には、その不足度合いに応じて前記主予備測光値及び／又は前記増灯予備測光値を少なく見積もり、前記主閃光発光装置及び／又は前記増灯閃光発光装置の最大発光可能光量を前記暫定主発光予定量及び／又は暫定増灯発光予定量とすること、を特徴とするカメラである。
【００１０】
請求項５の発明は、被写体を照明する装置であって本発光に先立って主予備発光を行う主閃光発光装置（１０）と、前記主閃光発光装置とは別の位置から被写体を照明する装置であって本発光に先立って増灯予備発光を行う少なくとも１つの増灯閃光発光装置（２０）と、被写界を複数の領域に分割した分割測光領域毎に測光値を出力する測光手段（５）と、前記主予備発光時に前記測光手段により得られた主予備測光値に基づいて前記主閃光発光装置の暫定的な発光予定量である暫定主発光予定量を演算する暫定主発光予定量演算手段（６，Ｓ７）と、前記増灯予備発光時に前記測光手段により得られた増灯予備測光値に基づいて前記増灯閃光発光装置の暫定的な発光予定量である暫定増灯発光予定量を演算する暫定増灯発光予定量演算手段（６，Ｓ１３）と、前記暫定主発光予定量及び前記暫定増灯発光予定量を合わせて前記分割測光領域毎の照明予定量を演算し、前記照明予定量が被写体を適正に照明するのに必要な光量となる適正値を超えるオーバー領域がある場合に、前記暫定主発光予定量と前記暫定増灯発光予定量の内前記オーバー領域を照明する寄与率の高い側ほど発光予定量を多く減少させることにより前記オーバー領域の照明予定量が前記適正値になるように、前記主閃光発光装置の本発光予定量である主本発光予定量、及び、前記増灯閃光発光装置の本発光予定量である増灯本発光予定量を演算する本発光量演算手段（６，Ｓ１４）と、を備えるカメラの増灯撮影システムである。
【００１１】
請求項６の発明は、請求項５に記載のカメラの増灯撮影システムにおいて、前記本発光量演算手段（６，Ｓ１４）は、前記オーバー領域が複数存在する場合には、照明予定量が最も大きい領域が前記適正値となるように前記主本発光予定量及び前記増灯本発光予定量を演算すること、を特徴とするカメラの増灯撮影システムである。
【００１２】
請求項７の発明は、請求項５又は請求項６に記載のカメラの増灯撮影システムにおいて、前記本発光量演算手段（６，Ｓ１４）は、前記オーバー領域が複数存在する場合には、前記主本発光予定量及び前記増灯本発光予定量を演算後に、その演算した前記主本発光予定量及び前記増灯本発光予定量を前記暫定主発光予定量及び暫定増灯発光予定量であるとして（Ｓ３８）前記主本発光予定量及び前記増灯本発光予定量を演算する動作を前記オーバー領域がなくなるまで繰り返し行うこと、を特徴とするカメラの増灯撮影システムである。
【００１３】
請求項８の発明は、請求項５から請求項７までのいずれか１項に記載のカメラの増灯撮影システムにおいて、前記暫定主発光予定量演算手段（６，Ｓ７）及び／又は前記暫定増灯発光予定量演算手段（６，Ｓ１３）は、前記主閃光発光装置（１０）及び／又は前記増灯閃光発光装置（２０）の発光能力が、それぞれ、前記暫定主発光予定量及び／又は暫定増灯発光予定量に対して不足である場合には、その不足度合いに応じて前記主予備測光値及び／又は前記増灯予備測光値を少なく見積もり、前記主閃光発光装置及び／又は前記増灯閃光発光装置の最大発光可能光量を前記暫定主発光予定量及び／又は暫定増灯発光予定量とすること、を特徴とするカメラの増灯撮影システムである。
【００１４】
【発明の実施の形態】
以下、図面等を参照しながら、本発明の実施の形態について、さらに詳しく説明する。
（第１実施形態）
図１は、本発明によるカメラの実施形態の構成を示す図である。
本実施形態におけるカメラは、絞り２及び距離検出装置３を含む撮影レンズ１、クイックリターンミラー４、測光センサー５、制御装置６等を備え、主フラッシュライト１０及び増灯フラッシュライト２０を制御可能なカメラである。
距離検出装置３は、エンコーダ等で構成された撮影距離検出手段であり、撮影レンズ１の合焦時のレンズ位置をエンコーダにより検出し、撮影距離を検出する装置である。
測光センサー５は、撮影レンズ１を通した被写界を複数の領域に分割した分割測光領域毎に測光値を出力する測光手段である。
図２は、測光センサー５を用いた撮影画面の測光領域を示す図である。
測光センサー５は、被写界を領域５１〜５５に分割し、それぞれの領域毎の光量を測光し、制御装置６に伝える。
制御装置６は、マイクロプロセッサからなり、カメラの各種制御を行う部分であり、本実施形態では、暫定主発光予定量演算手段、暫定増灯発光予定量演算手段、本発光量演算手段等の役割を果たしている。
【００１５】
主フラッシュライト１０は、主発光管制御装置１１と主発光管１２とを有した主閃光発光装置であり、本実施形態では、カメラに直接接続されている。なお、本実施形態では、主フラッシュライト１０は、カメラに対して着脱自在な別ユニットであるが、予めカメラに設けられているフラッシュライトでもよい。
増灯フラッシュライト２０は、増灯発光管制御装置２１と増灯発光管２２とを有した増灯閃光発光装置であり、本実施形態では、増灯ケーブル１１を介してカメラと接続されており、主フラッシュライト１０とは別の位置から被写体を照明する。なお、増灯フラッシュライト２０は、増灯ケーブル１１を介してカメラと接続せずに、ワイヤレス制御とすることもできる。
【００１６】
次に、本実施形態におけるカメラの動作について説明する。
図３は、本実施形態におけるカメラの動作を示すフローチャートである。なお、特に示さない限り、図３に示す動作は、制御装置６の制御により行われ、各種演算は、制御装置６が実行する。
不図示のシャッターレリーズボタンの押下により撮影動作が開始されると以下のステップ（以下、Ｓとする）が実行される。
Ｓ１では、測光センサー５の５つの領域５１〜５５における定常光成分ａ１１〜ａ１５の測定と保存、及び、撮影距離Ｄの取得を行う。
Ｓ２では、測光センサー５により主フラッシュライト１０の主モニター発光の測光を開始する。
Ｓ３では、主フラッシュライト１０の主モニター発光（主予備発光）を行う。この主フラッシュライト１０の主モニター発光では、主発光管１２を所定の小さな発光量のガイドナンバーｐ１で発光させる。このガイドナンバーｐ１は、カメラ側から指定するか、又は、主フラッシュライト１０側で予め設定された値をカメラ側に伝達するようにする。
【００１７】
Ｓ４では、主モニター発光の測光完了とともに測光センサー５の５領域の一時的な測光値（主予備測光値）ｔ１１〜ｔ１５の取得を行う。
Ｓ５では、測光センサー５で主フラッシュライト１０のモニター発光の直前、又は、直後に測光した定常光成分をａ１１〜ａ１５とし、以下の数１に示すように、測光値ｔ１１〜ｔ１５から定常光成分ａ１１〜ａ１５を引くことにより、純粋な主フラッシュライト１０の主モニター発光での５個の領域の反射光量ｂ１１〜ｂ１５を演算する。
【００１８】
【数１】
2004347757.tif 000003
【００１９】
Ｓ６では、主フラッシュライト１０の照射分布Ｉ１１〜Ｉ１５の演算を行う。
ここで、照射分布Ｉ１１〜Ｉ１５は、主フラッシュライト１０により最も明るく照明されている（反射光量が最大の）領域を基準とし、その領域の反射光量に対する各領域の反射光量の比率として求める。
まず、主要被写体は、最もカメラに近い場所に存在するとして、この中の最大値を返す領域を調光対象領域とし、最大反射光量ｂ１ｍａｘを以下のようにして得る。
【００２０】
【数２】
2004347757.tif 000004
【００２１】
最大反射光量ｂ１ｍａｘが得られたら、調光領域を最大値で正規化し主フラッシュライト１０の各領域の照射分布Ｉ１１〜Ｉ１５を以下のように演算する。
【００２２】
【数３】
2004347757.tif 000005
【００２３】
Ｓ７では、主フラッシュライト１０の暫定の撮影時発光量（暫定主発光予定量）となるガイドナンバーｔｇｎ１の演算を行う。具体的には、先に決定した調光対象領域に対して適性発光量となるように、主フラッシュライト１０のｔｇｎ１を以下の式により求める。
【００２４】
【数４】
2004347757.tif 000006
【００２５】
Ｓ８では、増灯フラッシュライト２０の増灯モニター発光の測光を開始する。
Ｓ９では、増灯フラッシュライト２０の増灯モニター発光（増灯予備発光）を行う。この増灯モニター発光では、増灯発光管２２を所定の小さな発光量のガイドナンバーｐ２で発光させる。
Ｓ１０では、増灯モニター発光の測光を完了すると共に、測光センサー５の５領域の一時的な測光値（増灯予備測光値）ｔ２１〜ｔ２５を取得する。
Ｓ１１では、測光センサー５増灯フラッシュライト２０のモニター発光の直前、又は、直後に測光した定常光成分をａ２１〜ａ２５とし、以下の数５に示すように、測光値ｔ２１〜ｔ２５から定常光成分ａ２１〜ａ２５を引くことにより純粋な増灯モニター発光での５個の領域の増灯フラッシュライト２０の反射光量ｂ２１〜ｂ２５を得る。なお、主モニター発光を行うＳ３と増灯モニター発光を行うＳ９との間隔は、きわめて短い時間間隔で行われるので、定常光成分ａ２１〜ａ２５を新たに測定せずに、既に測定している定常光成分ａ１１〜ａ１５を定常光成分ａ２１〜ａ２５とみなして演算を行ってもよい。
【００２６】
【数５】
2004347757.tif 000007
【００２７】
Ｓ１２では、増灯フラッシュライト２０の照射分布Ｉ２１〜Ｉ２５の演算を行う。
ここで、照射分布Ｉ２１〜Ｉ２５は、主フラッシュライト１０の場合と同様に、主要被写体は、最もカメラに近い場所に存在するとして、この中の最大値を返す領域を調光対象領域とし、最大反射光量ｂ２ｍａｘを以下のようにして得る。
【００２８】
【数６】
2004347757.tif 000008
【００２９】
最大反射光量ｂ２ｍａｘが得られたら、調光領域を最大値で正規化し増灯フラッシュライト２０の各領域の照射分布Ｉ２１〜Ｉ２５を以下のように演算する。
【００３０】
【数７】
2004347757.tif 000009
【００３１】
Ｓ１３では、増灯フラッシュライト２０の暫定の撮影時発光量（暫定増灯発光予定量）となるガイドナンバーｔｇｎ２の演算を行う。具体的には、先に決定した調光対象領域に対して適性発光量となるように、増灯フラッシュライト２０のｔｇｎ２を以下の式により求める。
【００３２】
【数８】
2004347757.tif 000010
【００３３】
Ｓ１４では、本発光量の演算を行う。ここで行う本発光量の演算は、主フラッシュライト１０と増灯フラッシュライト２０が各調光対象領域でオーバーラップした（両フラッシュライトにより照明される領域が重なった）ときにも適正露光になるように前述の暫定ガイドナンバーの減光量の演算を行うことにより行われる。
図４は、第１実施形態における本発光量演算の動作の流れを示すフローチャートである。
Ｓ２１では、各領域において、主フラッシュライト１０と増灯フラッシュライト２０との照射分布を合計する。
【００３４】
【数９】
2004347757.tif 000011
【００３５】
このようにして求めたＩｓｕｍ１〜Ｉｓｕｍ５の値は、上記ガイドナンバーｔｇｎ１，ｔｇｎ２で主フラッシュライト１０と増灯フラッシュライト２０とが本発光時に発光したときの照度分布を示すこととなる。Ｉｓｕｍ１〜Ｉｓｕｍ５の値が１となる領域があれば、その領域の露出は適正となる（主フラッシュライト１０と増灯フラッシュライト２０との照明量が適正値）ことを示し、１よりも大きければ露出オーバーを示し、１よりも小さければ露出アンダーを示す。
Ｓ２２では、Ｉｓｕｍ１〜Ｉｓｕｍ５の中の最大値Ｉｍａｘと最大値を返す領域ｍｐｏｓを求める。
【００３６】
【数１０】
2004347757.tif 000012
【００３７】
Ｓ２３では、最大値Ｉｍａｘが１を超えるか否かを判断し、最大値Ｉｍａｘが１を超えるときにはＳ２４へ進み、最大値Ｉｍａｘが１を超えない場合はＳ２６へ進む。
Ｓ２４では、寄与率が高いフラッシュライトほど減光量が多くなるように減光量（減光する割合）を決定する。具体的には、まず、Ｓ２２において求めたＩｍａｘより以下に示すｄｎを演算する。
【００３８】
【数１１】
2004347757.tif 000013
【００３９】
このｄｎより主フラッシュライト１０と増灯フラッシュライト２０を減光する割合を求める。合計が最大となる領域ｍｐｏｓに主フラッシュライト１０と増灯フラッシュライト２０が寄与する割合に応じて（寄与する割合が高いフラッシュライトほど減光量が多くなるように）減光する割合を求める。例えば領域ｍｐｏｓが中央部の５１なら、以下のようになる。
【００４０】
【数１２】
2004347757.tif 000014
【００４１】
Ｓ２５では、Ｋｄｎ１、Ｋｄｎ２を用いて、先に求めた主フラッシュライト１０の暫定のガイドナンバーｔｇｎ１、増灯フラッシュライト２０の暫定のガイドナンバーｔｇｎ２を減光し、撮影時の（本発光時の）主フラッシュライト１０と増灯フラッシュライト２０のガイドナンバーｇｎ１，ｇｎ２を求める。
【００４２】
【数１３】
2004347757.tif 000015
【００４３】
Ｓ２６では、ｔｇｎ１、ｔｇｎ２を撮影時のガイドナンバーｇｎ１，ｇｎ２とする。
図３に戻って、Ｓ１５では、シャッターを開放する。
Ｓ１６では、主フラッシュライト１０をガイドナンバーｇｎ１で、増灯フラッシュライト２０をガイドナンバーｇｎ２で発光する。
Ｓ１７では、シャッターを閉じて、増灯撮影を終了する。
【００４４】
ここで、本実施形態において、領域ｍｐｏｓに主フラッシュライト１０と増灯フラッシュライト２０が寄与する割合に応じて（寄与する割合が高いフラッシュライトほど減光量が多くなるように）減光する割合を求め、この割合に基づいてガイドナンバーｇｎ１，ｇｎ２を求めるようにした理由について説明する。
図５は、図２に示した撮影画面の測光領域を示す図に重ねて撮影画面の一例を示した図である。
主フラッシュライト１０は、主に人物１２を照明し、増灯フラッシュライト２０は、主に背景１３を照明し、それぞれの照明光（閃光）は、人物１２及び背景１３の両方を照明している場合を想定する。
【００４５】
ここで、主フラッシュライト１０の方が増灯フラッシュライト２０よりも、主要被写体である人物１２を照明する寄与率が高いとする。このとき、人物１２を適正露出にするために、先に求めた暫定のガイドナンバーｔｇｎ１，ｔｇｎ２のうち、増灯フラッシュライト２０のｔｇｎ２を多く減光したり、ｔｇｎ１，ｔｇｎ２を同量減光したり、ｔｇｎ１，ｔｇｎ２を同じ割合で減光したりして（本実施形態と異なる減光量の決め方を行って）、本発光のガイドナンバーを決めてしまったとすると、人物１２については、適正露出が得られるが、背景１３を照明している増灯フラッシュライト２０のガイドナンバーの減光量が大きいので、背景１３については、露出不足となってしまう。
【００４６】
そこで、本実施形態では、人物１２（主要被写体）の照明に寄与する割合に応じて（寄与する割合が高いフラッシュライトほど減光量が多くなるように）減光することとして、背景１３を主に照明する増灯フラッシュライト２０のガイドナンバーをなるべく大きな値とし、人物１２を適正露出としながらも、背景１３の照明光効果も十分に得るようにしている。
【００４７】
本実施形態によれば、複数のフラッシュライトを用いる増灯撮影において、どのような位置関係でフラッシュライトを配置しても自動的に最適な光量比で発光量が決定され、優れた増灯撮影の写真を容易に撮影することができる。
【００４８】
（第２実施形態）
第２実施形態は、第１実施形態におけるＳ１４（本発光量の演算動作）を改良した形態であるので、第１実施形態と同様の機能を果たす部分には、同一の符号を付して、重複する説明を適宜省略する。
図６は、第２実施形態における本発光量の演算動作の流れを示すフローチャートである。このフローチャートにおいて、Ｓ３１〜Ｓ３６は、第１実施形態におけるＳ２１〜Ｓ２６と同様な動作を行う。
【００４９】
Ｓ３７では、Ｓ３１において得られた照射分布の合計Ｉｓｕｍ１〜Ｉｓｕｍ５の値が１を超える領域が複数あるか否かを判断する。１を超える領域が複数ある場合には、Ｓ３８へ進み、１ヵ所のみの場合には、Ｓ１５（図３）へ戻る。
Ｉｓｕｍ１〜Ｉｓｕｍ５の値が１を超えている領域は、減光を行わないと露出オーバーとなる領域である。そこで、第１実施形態では、最大となる領域が１を超えているときに、その領域で適正露出が得られるように、減光を行った。
【００５０】
しかし、Ｉｓｕｍ１〜Ｉｓｕｍ５の値が１を超える領域が複数ある場合には、最大となる領域のみを適正値とする（Ｉｍａｘを１とする）だけでは、他の領域が必ず１を超えない（露出オーバーにならない）とは限らない。
そこで、本実施形態では、Ｉｓｕｍ１〜Ｉｓｕｍ５の値が１を超える領域が複数ある場合には、Ｓ３８へ進み、Ｓ３５において得られたｇｎ１，ｇｎ２を暫定のガイドナンバーのｔｇｎ１，ｔｇｎ２であるとして（ｔｇｎ１＝ｇｎ１，ｔｇｎ２＝ｇｎ２）、Ｓ３１からの動作を再度繰り返して行う。
この動作を繰り返して、１を超える領域がなくなれば、露出オーバーとなる領域が発生することを避けることができる。
【００５１】
本実施形態によれば、Ｉｓｕｍ１〜Ｉｓｕｍ５の値が１を超える領域が複数ある場合に、本発光量の演算動作を繰り返し行うので、露出オーバーとなる領域が発生せず、良好な撮影結果を得ることができる。
【００５２】
（第３実施形態）
第３実施形態は、第１実施形態をさらに改良した形態であるので、第１実施形態と同様の機能を果たす部分には、同一の符号を付して、重複する説明を適宜省略する。
図７は、第３実施形態におけるカメラの動作を示すフローチャートである。このフローチャートにおいて、Ｓ１０１〜Ｓ１０７，Ｓ１１１〜Ｓ１１６，Ｓ１２０〜Ｓ１２３は、それぞれ、第１実施形態におけるＳ１〜Ｓ７，Ｓ８〜Ｓ１３，Ｓ１２０〜Ｓ１２３と同様な動作を行うので、ここでは、第１実施形態と動作が異なるＳ１０８〜Ｓ１１０及びＳ１１７〜Ｓ１１９についてのみ説明を行う。
【００５３】
Ｓ１０８では、主フラッシュライト１０の発光能力限界である最大ガイドナンバーｇｎｍａｘ１と演算した暫定のガイドナンバーｔｇｎ１とを比較する。ｔｇｎ１がｇｎｍａｘ１よりも大きい場合には、Ｓ１０９へ進み、それ以外の場合には、Ｓ１１１へ進む。
【００５４】
Ｓ１０９では、主フラッシュライト１０の照射分布Ｉ１１〜Ｉ１５の修正を行う。このステップに進んできたと言うことは、主フラッシュライト１０では、演算した暫定のガイドナンバーｔｇｎ１を発光する能力が不足しているということである。したがって、ここで行う照射分布Ｉ１１〜Ｉ１５の修正とは、具体的には、以下の演算を行い、発光能力が不足している度合いに応じて照射分布Ｉ１１〜Ｉ１５を少なく見積もる。
【００５５】
【数１４】
2004347757.tif 000016
【００５６】
このようにすることにより、主フラッシュライト１０の照射分布Ｉ１１〜Ｉ１５が発光能力に応じて適正な値となる。
Ｓ１１０では、ｔｇｎ１にｇｎｍａｘ１を代入し、暫定のガイドナンバーを主フラッシュライト１０の発光能力限界である最大ガイドナンバーとする。
以下、Ｓ１１１〜Ｓ１１６は、第１実施形態におけるＳ８〜Ｓ１３と同様な動作を行う。
【００５７】
Ｓ１１７では、増灯フラッシュライト２０の発光能力限界である最大ガイドナンバーｇｎｍａｘ２と演算した暫定のガイドナンバーｔｇｎ２とを比較する。ｔｇｎ２がｇｎｍａｘ２よりも大きい場合には、Ｓ１１８へ進み、それ以外の場合には、Ｓ１２０へ進む。
【００５８】
Ｓ１１８では、増灯フラッシュライト２０の照射分布Ｉ２１〜Ｉ２５の修正を行う。このステップに進んできたと言うことは、増灯フラッシュライト２０では、演算した暫定のガイドナンバーｔｇｎ２を発光する能力が不足しているということである。したがって、ここで行う照射分布Ｉ２１〜Ｉ２５の修正とは、具体的には、以下の演算を行い、発光能力が不足している度合いに応じて照射分布Ｉ２１〜Ｉ２５を少なく見積もる。
【００５９】
【数１５】
2004347757.tif 000017
【００６０】
このようにすることにより、増灯フラッシュライト２０の照射分布Ｉ２１〜Ｉ２５が発光能力に応じて適正な値となる。
Ｓ１１９では、ｔｇｎ２にｇｎｍａｘ２を代入し、暫定のガイドナンバーを増灯フラッシュライト２０の発光能力限界である最大ガイドナンバーとする。
【００６１】
本実施形態によれば、フラッシュライトの発光能力に応じて照射分布を決めて（修正して）いる。つまり、演算された照射分布の合計ではなく、実際に照射可能な照射分布の合計に基づいて露出の判断を行っているので、主フラッシュライト１０又は増灯フラッシュライト２０の少なくとも一方の暫定ガイドナンバーが発光能力を超えてしまっている場合であっても、適正な発光量を得ることも可能になる。
【００６２】
（変形形態）
以上説明した実施形態に限定されることなく、種々の変形や変更が可能であって、それらも本発明の均等の範囲内である。
例えば、各実施形態において、主フラッシュライト１０と増灯フラッシュライト２０の２台のフラッシュライトを使用する例を示したが、これに限らず、例えば、増灯フラッシュライトの台数をさらに多くしてもよい。
【００６３】
【発明の効果】
以上詳しく説明したように、本発明によれば、以下の効果を奏することができる。
（１）暫定主発光予定量及び暫定増灯発光予定量を合わせて分割測光領域毎の照明予定量を演算し、照明予定量が被写体を適正に照明するのに必要な光量となる適正値を超えるオーバー領域がある場合に、暫定主発光予定量と暫定増灯発光予定量の内オーバー領域を照明する寄与率の高い側ほど発光予定量を多く減少させることによりオーバー領域の照明予定量が適正値になるように、主閃光発光装置の本発光予定量である主本発光予定量、及び、増灯閃光発光装置の本発光予定量である増灯本発光予定量を演算するので、複数のフラッシュライトを用いた撮影において、各フラッシュライトの配置を自由に行っても、自動的に最適な光量比により撮影を行うことができる。
【００６４】
（２）本発光量演算手段は、オーバー領域が複数存在する場合には、照明予定量が最も大きい領域が適正値となるように主本発光予定量及び増灯本発光予定量を演算するので、演算負荷を増加させることなく、簡単に最適な発光量を演算することができる。
【００６５】
（３）本発光量演算手段は、オーバー領域が複数存在する場合には、主本発光予定量及び増灯本発光予定量を演算後に、その演算した主本発光予定量及び増灯本発光予定量を暫定主発光予定量及び暫定増灯発光予定量であるとして主本発光予定量及び増灯本発光予定量を演算する動作をオーバー領域がなくなるまで繰り返し行うので、露出オーバーとなる領域が発生することを完全に防止することができる。
【００６６】
（４）暫定主発光予定量演算手段及び／又は暫定増灯発光予定量演算手段（６，Ｓ１３）は、前記主閃光発光装置（１０）及び／又は前記増灯閃光発光装置（２０）の発光能力が、それぞれ、前記暫定主発光予定量及び／又は暫定増灯発光予定量に対して不足である場合には、その不足度合いに応じて前記主予備測光値及び／又は前記増灯予備測光値を少なく見積もり、前記主閃光発光装置及び／又は前記増灯閃光発光装置の最大発光可能光量を前記暫定主発光予定量及び／又は暫定増灯発光予定量とするので、フラッシュライトから被写体までの距離が遠かったり、小型のフラッシュライトを使用したりしても、露出不足となることを避けることができる。したがって、フラッシュライトの発光能力、フラッシュライトから被写体までの距離等を気にしなくとも、簡単に適正露出の撮影を行うことができる。
【図面の簡単な説明】
【図１】本発明によるカメラの実施形態の構成を示す図である。
【図２】測光センサー５を用いた撮影画面の測光領域を示す図である。
【図３】本実施形態におけるカメラの動作を示すフローチャートである。
【図４】第１実施形態における本発光量演算の動作の流れを示すフローチャートである。
【図５】図２に示した撮影画面の測光領域を示す図に重ねて撮影画面の一例を示した図である。
【図６】第２実施形態における本発光量の演算動作の流れを示すフローチャートである。
【図７】第３実施形態における本発光量の演算動作の流れを示すフローチャートである。
【符号の説明】
１  撮影レンズ
２  絞り
３  距離検出装置
４  クイックリターンミラー
５  測光センサー
６  制御装置
１０  主フラッシュライト
１１  主発光管制御装置
１２  主発光管
２０  増灯フラッシュライト
２１  増灯発光管制御装置
２２  増灯発光管
【図１】
2004347757.tif 000018
【図２】
2004347757.tif 000019
【図３】
2004347757.tif 000020
【図４】
2004347757.tif 000021
【図５】
2004347757.tif 000022
【図６】
2004347757.tif 000023
【図７】
2004347757.tif 000024